(57)【要約】【課題】筐体内にアンテナを備えた携帯無線機に取り付けたときに、アンテナの送受信性能が低下するのを抑えることができる携帯無線機用ケースを提供する。【解決手段】携帯無線機のアンテナの近傍において、前記携帯無線機の周縁部を覆う導電性の第一フレームと、前記アンテナの近傍以外において、前記第一フレームと間を空けて前記周縁部を覆う導電性の第二フレームと、前記第一フレームと前記第二フレームとの間の絶縁性の第一絶縁部と、を備えた携帯無線機用ケース。である。【選択図】図１
2016066906.tif 000002
【特許請求の範囲】
【請求項１】
携帯無線機のアンテナの近傍において、前記携帯無線機の周縁部を覆う導電性の第一フレームと、
前記アンテナの近傍以外において、前記第一フレームと間を空けて前記周縁部を覆う導電性の第二フレームと、
前記第一フレームと前記第二フレームとの間の絶縁性の第一絶縁部と、
を備えた携帯無線機用ケース。
【請求項２】
前記第一フレームの長さが、前記アンテナで使用される電波により二次電流が発生しやすい長さ未満である請求項１に記載の携帯無線機用ケース。
【請求項３】
前記第一フレーム、前記第一絶縁部、及び、前記第二フレームを一体にするための固定部材を備えた請求項１又は２に記載の携帯無線機用ケース。
【請求項４】
前記アンテナの近傍以外において、前記携帯無線機の背面を覆う導電性の第一背面カバーを備えた請求項１から３のいずれかに記載の携帯無線機用ケース。
【請求項５】
前記アンテナの近傍において、前記携帯無線機の背面を覆う絶縁性の第二背面カバーを備えた請求項１から４のいずれかに記載の携帯無線機用ケース。
【請求項６】
前記携帯無線機用ケースにおける前記携帯無線機との対向面にクッションを備えた請求項１から５のいずれかに記載の携帯無線機用ケース。
【発明の詳細な説明】
【技術分野】
【０００１】
本発明は、携帯無線機の一部を覆う携帯無線機用ケースに関する。
【背景技術】
【０００２】
スマートフォン、ストレート式の携帯電話機、タブレット端末等の携帯無線機が、多数販売されている。近年、これらの携帯無線機は、その小型化のために、筐体内にアンテナを備えている。
【０００３】
携帯無線機の一部を覆う携帯無線機用ケースも、多数販売されている。携帯無線機用ケースは、携帯無線機の周縁部や背面を覆い、携帯無線機を保護したり、装飾したりする。たとえば特許文献１に、金属で構成された携帯無線機用ケースが開示されている。金属の携帯無線機用ケースは、強度が高く、金属光沢によって見栄えが良くなる。
【先行技術文献】
【特許文献】
【０００４】
【特許文献１】実用新案登録第３１８９８３６号
【発明の概要】
【発明が解決しようとする課題】
【０００５】
しかし、筐体内にアンテナを備えた携帯無線機に、金属製の携帯無線機用ケースを取り付けて通信しようとすると、ケースに二次電流（誘導電流）が発生したり、ケースが電波を遮断したりする。このため、アンテナの送受信性能が低下し、場合によっては通信不可能になってしまう。
【０００６】
たとえば、二次電流を防止するために、アンテナとケースの距離を長くすることが考えられる。また、アンテナにより生成される近傍電界の成分と直交する向きにケースの各部を構成し、二次電流を低減させることが考えられる。しかし、携帯無線機の端などにアンテナが配置されると、アンテナとケースの距離が近づき、互いに平行になる場合がある。
【０００７】
携帯無線機のメーカーは、アンテナの構造と合わせて、アンテナの近傍に部品を適切に配置することで、携帯無線機で規定のアンテナ性能を達成している。携帯無線機に導電性のケースを後付けし、アンテナの近傍に二次電流が流れる導電体を配置すると、携帯無線機が規定のアンテナ性能を達成できなくなってしまう。このため、携帯無線機のメーカーは、アンテナの近傍を金属で覆わないよう推奨している。導電体によって電波が遮蔽されることも同様である。
【０００８】
そこで、本発明は、筐体内にアンテナを備えた携帯無線機に取り付けたときに、アンテナの送受信性能が低下するのを抑えることができる携帯無線機用ケースを提供することを目的とする。
【課題を解決するための手段】
【０００９】
上記の目的を達成するため、本発明に係る携帯無線機用ケースは、携帯無線機のアンテナの近傍において、前記携帯無線機の周縁部を覆う導電性の第一フレームと、前記アンテナの近傍以外において、前記第一フレームと間を空けて前記周縁部を覆う導電性の第二フレームと、前記第一フレームと前記第二フレームとの間の絶縁性の第一絶縁部と、を備えるように構成されている。
【００１０】
前記第一フレームの長さは、前記アンテナで使用される電波により二次電流が発生しやすい長さ未満であるように構成されている。
【００１１】
前記第一フレーム、前記第一絶縁部、及び、前記第二フレームを一体にするための固定部材を備えるように構成されている。
【００１２】
前記アンテナの近傍以外において、前記携帯無線機の背面を覆う導電性の第一背面カバーを備えるように構成されている。
【００１３】
前記アンテナの近傍において、前記携帯無線機の背面を覆う絶縁性の第二背面カバーを備えるように構成されている。
【００１４】
さらに、前記携帯無線機用ケースにおける前記携帯無線機との対向面にクッションを備えるように構成されている。
【発明の効果】
【００１５】
上記の構成からなる本発明に係る携帯無線機用ケースは、第一フレーム及び第二フレームの材質が導電体であるが、そこに二次電流が発生しにくい。また、アンテナの近傍において、携帯無線機の正面と背面は導電体で覆われていないため、電波は遮断されていない。
【００１６】
よって、本発明によれば、筐体内にアンテナを備えた携帯無線機に取り付けたときに、アンテナの送受信性能が低下するのを抑えることができる携帯無線機用ケースが提供される。
【図面の簡単な説明】
【００１７】
【図１】携帯無線機に取り付けられた実施形態１に係る携帯無線機用ケースを表し、（ａ）はその携帯無線機の背面側から見た斜視図であり、（ｂ）は（ａ）のＰ−Ｐ´部で切断した断面端面図である。
【図２】携帯無線機に取り付けられた実施形態２に係る携帯無線機用ケースを表し、（ａ）はその携帯無線機の背面側から見た斜視図であり、（ｂ）は（ａ）のＱ−Ｑ´部で切断した断面端面図であり、（ｃ）は（ａ）のＲ−Ｒ´部で切断した断面端面図である。
【図３】携帯無線機に取り付けられた実施形態３に係る携帯無線機用ケースのクッションを表す断面端面の要部拡大図である。
【図４】その他の実施形態に係る第一絶縁部の形状を表し、（ａ）は第一絶縁部が折れ曲がった形状の場合の携帯無線機用ケースの側面の断面端面図であり、（ｂ）は第一絶縁部に凸部が設けられた形状の場合の携帯無線機用ケースの側面の断面端面図である。
【図５】試験でスマートフォンを置く向きを表し、（ａ）は電波が放射される方向に対しスマートフォンの周縁部を向けた場合の説明図であり、（ｂ）は電波が放射される方向に対しスマートフォンの正面を向けた場合の説明図である。
【発明を実施するための形態】
【００１８】
［実施形態１］
図１（ａ）に示すように、携帯無線機用ケース１ａは、携帯無線機２の一部に取り付けられる。ここでの携帯無線機２は、スマートフォン、ストレート式の携帯電話機、タブレット端末等を含み、筐体３にアンテナ４を内蔵するものである。携帯無線機２の筐体３は、合成樹脂等で構成されている。
【００１９】
携帯無線機用ケース１ａは、導電性の第一フレーム１１ａ、導電性の第二フレーム１２ａ、第一フレーム１１ａと第二フレーム１２ａの間２５の第一絶縁部２１ａ、及び、固定部材２４を備える。
【００２０】
図１（ｂ）に示すように、第一フレーム１１ａは、筐体３に内蔵されたアンテナ４の近傍９において、携帯無線機２の周縁部５を覆うように配置される。ここで、アンテナ４の近傍９とは、アンテナ４で送受信される電波の波長λの１／２の長さの導電体を、アンテナ４の長辺に対し平行に配置すると、アンテナ４で発生する近傍電磁界によって強い二次電流が発生する範囲の空間である。
【００２１】
アンテナ４は、携帯無線機２の筐体３の長手方向の一端８１に内蔵されており、アンテナ４の長辺の方向が筐体３の短手方向を向くように設けられている。このため、携帯無線機２の周縁部５のうちで一端８１の部分は、アンテナ４に近接しており、アンテナ４の近傍９に含まれる。
【００２２】
第一フレーム１１ａは、導電性であり、例えば、アルミニウム、銅、鉄、チタン、又は、それらの合金等の金属を材質とする。第一フレーム１１ａは、その表面にめっき処理が施されていても良い。
【００２３】
第一フレーム１１ａは、筐体３の長手方向の一端８１に接する部分がアンテナ４の長辺に平行になっている。第一フレーム１１ａの両端部は、携帯無線機２の角にそって折れ曲がり、アンテナ４の長辺に平行になった部分に対して垂直方向を向いている。
【００２４】
第一フレーム１１ａの長さは、アンテナ４で使用される電波によって二次電流（誘導電流）が発生しやすい長さ未満である。二次電流を発生しにくくするためには、第一フレーム１１ａは共振を避ける必要があり、電波の波長λの１／２の整数倍の長さにならないことが必要である。そのため、第一フレーム１１ａの長さは、電波の波長λの１／２、好ましくは１／４より短くなるようにする。なお、第一フレーム１１ａの長さとは、携帯無線機２の周縁部５に沿った外周の長さである。
【００２５】
第一フレーム１１ａの長さが、波長λの１／４より短い場合には、周囲の金属物体や接地の条件等に関わらず、第一フレーム１１ａで二次電流の発生を低減させることができる。また、波長λの１／４より短いと、アンテナ４の広域帯特性を実現するうえで好ましい。
【００２６】
例えば、電波の周波数ｆが７００ＭＨｚ、８５０ＭＨｚ、９００ＭＨｚであれば、それぞれ電波の波長λは約４２．８ｃｍ、約３５．３ｃｍ、約３３．３ｃｍになる。第一フレーム１１ａの長さは、これらの電波の波長λの１／２、好ましくは１／４より短くなるようにする。この範囲内の長さであれば、第一フレーム１１ａの部材には、アンテナ４の近傍９から近傍９以外へはみ出した部分が含まれていても良い。
【００２７】
なお、第一フレーム１１ａの長さが波長λの１／８の長さ以下の場合には、導電体の自己インピーダンスの虚数部が非常に大きくなることで、第一フレーム１１ａで発生する二次電流を十分に低減させることができる。
【００２８】
第一フレーム１１ａの長さを上記のようにする理由を説明する。携帯無線機２に導電性のケースを取り付けた際に、アンテナ４の長辺に対して平行の向きに配置された部分の導電体は、アンテナ４に近接するほど二次電流を強く発生させる傾向にある。この導電体の長さが、アンテナ４で使用される電波と共振する長さであると、強い二次電流が発生する。以上のことは、アンテナ素子と近接する線状導体物体の相互位置関係と相互結合量の関係として学術的には解釈される。
【００２９】
第一フレーム１１ａは、アンテナ４の近傍であり、アンテナ４の長辺に対して平行な部分を有する。しかし、第一フレーム１１ａの長さが電波の波長λの１/４未満になっており、共振しない。したがって、第一フレーム１１ａには二次電流が発生しにくくなっている。
【００３０】
図１（ｂ）に示すように、第一フレーム１１ａには、携帯無線機２の周縁部５をはめ込む凹部３１ａが設けられている。凹部３１ａは、携帯無線機２の周縁部５の形状に合わせた形状である。凹部３１ａに周縁部５をはめ込むと、第一フレーム１１ａにより携帯無線機２が保持される。このため、携帯無線機用ケース１ａを取り付けた携帯無線機２を床面上に置いたときに、携帯無線機２の正面６や背面８が床面に接しない。正面６や背面８が床面でこすれないため、携帯無線機２が汚れにくくなる。落下時に正面６や背面８が床面にじかに衝突して破損するのを免れ得る。
【００３１】
図１（ａ）に示すように、第二フレーム１２ａは、アンテナ４の近傍９以外において、第一フレーム１１ａと間２５を空けて、携帯無線機２の周縁部５を覆うように配置される。第二フレーム１２ａは、アンテナ４の近傍９以外に配置される。また、第二フレーム１２ａは、アンテナ４の近傍９に近い部分がアンテナ４の長辺に対して直交する向きに配置されている。
【００３２】
第二フレーム１２ａは、導電性であり、例えば、アルミニウム、銅、鉄、チタン、又は、それらの合金等の金属を材質とする。第二フレーム１２ａは、その表面にめっき処理が施されていても良い。また、第二フレーム１２ａには、第一フレーム１１ａと同様に、凹部３１ａが設けられる。
【００３３】
第二フレーム１２ａは、アンテナ４の近傍９以外に配置されるため、二次電流が発生しにくい。また、第二フレーム１２ａは、アンテナ４の近傍９に近い部分がアンテナ４の長辺に対して直交する向きに配置されているため、二次電流が発生しにくい。
【００３４】
第一絶縁部２１ａは、第一フレーム１１ａと第二フレーム１２ａとの間２５に設けられる。第一フレーム１１ａと第二フレーム１２ａは各々１個ずつ設けられるため、第一絶縁部２１ａは２個設けられる。第一絶縁部２１ａにより、第一フレーム１１ａと第二フレーム１２ａが導通して二次電流が発生するのを防止する。第一絶縁部２１ａの材質としては、例えば、アクリル系樹脂等の合成樹脂が挙げられる。
【００３５】
第一絶縁部２１ａは、第一フレーム１１ａと第二フレーム１２ａの間２５に、はめ込まれる。例えば、第一絶縁部２１ａの長さは、約１ｍｍである。あるいは、二次電流が発生しにくいように第一フレーム１１ａの長さを短くした場合には、代わりに第一絶縁部２１ａの長さを長くしても良い。また、第一絶縁部２１ａも、第一フレーム１１ａと同様に凹部３１ａを有する。
【００３６】
第一フレーム１１ａ、第二フレーム１２ａ及び第一絶縁部２１ａは、携帯無線機２の周縁部５に設けられたボタン８４やイヤホンジャック等の位置に応じて、形状を変形させても良い。例えば、ボタン８４がある位置に開口部３３を設けると、携帯無線機２に携帯無線機用ケース１ａを取り付けたまま、ボタン８４を押すことができる。
【００３７】
図１（ａ）（ｂ）に示すように、固定部材２４は、ネジ等である。例えば、第一フレーム１１ａから第一絶縁部２１ａを介して第二フレーム１２ａに通じるネジ穴を設けておき、このネジ穴にネジを入れて固定する。固定部材２４により、第一フレーム１１ａ、第一絶縁部２１ａ、及び、第二フレーム１２ａが一体に固定される。
【００３８】
固定部材２４は、絶縁性の材質で構成する。固定部材２４の材質としては、例えば、ポリテトラフルオロエチレン（ＰＴＦＥ）等のフッ化炭素樹脂や、ポリエーテルエーテルケトン（ＰＥＥＫ）等が挙げられる。固定部材２４として絶縁性のネジを用いると、第一フレーム１１ａと第二フレーム１２ａが固定部材２４を介して導通するのを避けることができる。
【００３９】
携帯無線機２に携帯無線機用ケース１ａを取り付ける手順を説明する。最初に、携帯無線機２、第一フレーム１１ａ、第一絶縁部２１ａ、及び、第二フレーム１２ａが、各々、分離した状態にある。
【００４０】
携帯無線機２の周縁部５が第二フレーム１２ａの凹部３１ａ内に収まるように、携帯無線機２を第二フレーム１２ａ内に滑り込ませる。次いで、２箇所ある第二フレーム１２ａの端部４２ａに第一絶縁部２１ａを重ね、更に第一フレーム１１ａの端部４１ａを重ねる。最後に、第一フレーム１１ａから第一絶縁部２１ａを介して第二フレーム１２ａに通じるネジ穴にネジを入れて固定する。この手順により、第一フレーム１１ａの凹部３１ａに周縁部５がはめ込まれて、携帯無線機２に携帯無線機用ケース１ａを取り付けることができる。
【００４１】
以上のように、携帯無線機用ケース１ａは、第一フレーム１１ａ及び第二フレーム１２ａが導電体で構成されている。第一フレーム１１ａをアンテナ４で送受信される電波の波長の１／４未満の長さにし、第二フレーム１２ａをアンテナ４の長辺に対して垂直方向にしたり、近傍９と異なる空間に配置することで、それらに二次電流が流れにくい。また、携帯無線機２の周縁部５にのみ携帯無線機用ケース１ａが取り付けられるため、アンテナ４の近傍９において携帯無線機２の正面６と背面８は導電体で覆われておらず、電波は遮断されていない。したがって、携帯無線機用ケース１ａは、アンテナ４の送受信性能が低下するのを抑えることができる。
【００４２】
さらに、携帯無線機用ケース１ａは、第一フレーム１１ａ及び第二フレーム１２ａが金属で構成されるため、金属光沢により見栄えが良い。めっき処理等の表面処理を施した場合には、更に見栄えが良い。
【００４３】
［実施形態２］
図２に示す携帯無線機用ケース１ｂについて、携帯無線機用ケース１ａと異なる構成、作用効果のみを説明する。図２（ａ）に示すように、携帯無線機用ケース１ｂは、携帯無線機用ケース１ａと比べて、更に導電性の第一背面カバー１３と、絶縁性の第二背面カバー２２を備える。
【００４４】
図２（ａ）（ｃ）に示すように、第一背面カバー１３は、アンテナ４の近傍９以外において、携帯無線機２の背面８を覆うように配置された板状の部材である。第一背面カバー１３は、導電性であり、例えば、アルミニウム、銅、鉄、チタン、又は、それらの合金等の金属を材質とする。第一背面カバー１３は、その表面にめっき処理が施されていても良い。なお、第一背面カバー１３の厚さは、任意である。
【００４５】
図２（ａ）に示すように、第一背面カバー１３は、携帯無線機２の背面８に設けられたカメラ機能用のレンズ８５やセンサーの位置等に応じて、形状を変形させても良い。例えば、レンズ８５やセンサーのある位置に開口部３４を設けて、カメラ機能やセンサーを使用できるようにする。また、第一背面カバー１３は、装飾のためにスリットが設けられていても良い。
【００４６】
第一背面カバー１３は、その周縁が第二フレーム１２ｂに接続されて、第一背面カバー１３と第二フレーム１２ｂが一体になった構造であっても良い。この場合、第二フレーム１２ｂと第一背面カバー１３を固定するための手段を備えなくとも良い。この場合、固定手段２４で、第一フレーム１１ｂ、第一絶縁部２１ａ、及び、第二フレーム１２ｂを一体にすれば、同時に第一背面カバー１３も一体となるため、携帯無線機用ケース１ｂが携帯無線機２に取り付けられる。
【００４７】
なお、第一背面カバー１３は、第二フレーム１２ｂとは分離されていても良い。この場合、第二フレーム１２ｂと第一背面カバー１３を固定するための手段を備える必要がある。例えば、第一背面カバー１３から第二フレーム１２ｂに通じるネジ穴を設けておき、このネジ穴にネジを入れて固定する等の手段が挙げられる。
【００４８】
図２（ａ）（ｂ）に示すように、アンテナ４の近傍９において、第二背面カバー２２は、携帯無線機２の背面８を覆うように配置された板状の部材である。第二背面カバー２２の絶縁性の材質としては、例えば、アクリル系樹脂等の合成樹脂が挙げられる。なお、第二背面カバー２２の厚さは、任意である。
【００４９】
第一絶縁部２１ａの一端は、第二背面カバー２２に接続された構造であっても良い。この場合、前述の携帯無線機２に携帯無線機用ケース１ａを取り付ける手順と同じ手順により、固定部材２４で第一フレーム１１ｂ、第一絶縁部２１ａ、及び、第二フレーム１２ｂを一体にすれば、同時に第二背面カバー２２も一体となる。
【００５０】
なお、第二背面カバー２２は、第一絶縁部２１ａと分離されていても良い。この場合には、第二背面カバー２２と第一絶縁部２１ａを一体に固定するための手段が必要である。あるいは、この場合には、第二背面カバー２２と第一フレーム１１ｂを一体に固定するための手段を備える必要がある。例えば、第二背面カバー２２から第一フレーム１１ｂに通じるネジ穴を設けておき、このネジ穴にネジを入れて固定する等の手段が挙げられる。
【００５１】
図２（ｂ）に示すように、第二背面カバー２２は、第一フレーム１１ｂ又は第二フレーム１２ｂと一体になるように固定されると、凹部３１ｂを形成する。凹部３１ｂに携帯無線機２の周縁部５がはめ込まれると、携帯無線機２が携帯無線機用ケース１ｂ内に保持される。
【００５２】
第一フレーム１１ｂに対して、第二フレーム１２ｂの長手方向の中央部分は、幅が細くなっている。このため、第一フレーム１１ｂよりも、第二フレーム１２ｂの長手方向の中央部分の方が、握りやすい形状となっている。使用者は、携帯無線機用ケース１ｂを手に取る際に、無意識のうちに第二フレーム１２ｂの中央部分を握るようになる。これにより、使用者が第一フレーム１１ｂと第二フレーム１２ｂをまたいで握るのを避け得るため、第一フレーム１１ｂと第二フレーム１２ｂが手指を介して導通するのを免れ得る。
【００５３】
第一フレーム１１ｂ、第一絶縁部２１ａ、第二フレーム１２ｂ、第一背面カバー１３、第二背面カバー２２の輪郭は、曲線状に滑らかな形状である。このため、携帯無線機用ケース１ｂは、楽に握ることができ、見栄えが良い。また、第一背面カバー１３と第二背面カバー２２の接触部は曲線状であり、見栄えが良い。
【００５４】
以上の構成から、図２（ａ）（ｃ）に示すように、第一背面カバー１３は、アンテナ４の近傍９以外に配置されているため、アンテナ４で使用する電波が第一背面カバー１３により遮断されるのを免れ得る。
【００５５】
また、図２（ａ）（ｂ）に示す第二背面カバー２２は、絶縁体で構成されているため、アンテナ４で使用される電波が第二背面カバー２２により遮断されることはない。このため、携帯無線機用ケース１ｂは、携帯無線機用ケース１ａと同様に、アンテナ４の送受信性能が低下するのを抑えることができる。
【００５６】
図２（ａ）（ｂ）（ｃ）に示すように、第一背面カバー１３及び第二背面カバー２２が携帯無線機２の背面８を覆うため、携帯無線機用ケース１ｂは背面８を保護し装飾することができる。
【００５７】
なお、携帯無線機用ケース１ｂは、第一背面カバー１３又は第二背面カバー２２のいずれか一方が省かれた構成であっても良い。この場合、省かれた部分は開放された空間となるため、アンテナ４の送受信性能が低下するのは抑えられる。
【００５８】
あるいは、携帯無線機用ケース１ｂから第一背面カバー１３を省いた場合、第二背面カバー２２が、アンテナ４の近傍９以外を含めた携帯無線機２の背面８の全部又は大部分を覆うように配置されても良い。第二背面カバー２２は二次電流を発生させないため、この場合、アンテナ４の送受信性能が低下するのは抑えられる。
【００５９】
［実施形態３］
図３に示す携帯無線機用ケース１ｃについて、携帯無線機用ケース１ｂと異なる構成、作用効果のみを説明する。図３に示すように、クッション２３を備えた携帯無線機用ケース１ｃであっても良い。クッション２３は、第一フレーム１１ｂ及び第二フレーム１２ｂにおける携帯無線機２との対向面に形成された被覆層である。各々、第一フレーム１１ｂ、第二フレーム１２ｂにおける携帯無線機２との対向面の全体にクッション２３を設けても良いし、一部に設けても良い。
【００６０】
クッション２３の材質としては、例えば、ポリプロピレン、アクリル系樹脂、ゴム系樹脂、シリコーン樹脂等の絶縁性の合成樹脂が挙げられる。クッション２３の材質として、更に好ましくは、例えば、ゴム系樹脂、シリコーン樹脂等の弾力性を有する絶縁性の合成樹脂が挙げられる。
【００６１】
携帯無線機２と携帯無線機用ケース１ｃとの間にクッション２３が存在し、携帯無線機２が携帯無線機用ケース１ｃと直に接しない。第一フレーム１１ｂや第二フレーム１２ｂの材質は金属であり、携帯無線機２と直に接すると携帯無線機２の周縁部５等がこすれて傷がつくおそれがあるが、クッション２３により防止することができる。クッション２３により、携帯無線機用ケース１ｃに対する携帯無線機２の位置を安定させることができる。また、携帯無線機２が落下した際、クッション２３によって携帯無線機２に対する衝撃を緩和することもできる。
【００６２】
さらに、携帯無線機２の周縁部５の一部に金属が使用されている場合、この金属と携帯無線機用ケース１ｃが導通するのをクッション２３によって防止することができる。携帯無線機２で規定される以外の箇所に二次電流が流れたりしないため、携帯無線機２の各種機能を損なわない。
【００６３】
クッション２３は、第一フレーム１１ｂと第二フレーム１２ｂのいずれかに設けられていても良い。また、第一絶縁部２１ａ、第一背面カバー１３、又は第二背面カバー２２において、その携帯無線機２との対向面にクッション２３を設けても良い。クッション２３が設けられている面積が増えるほど、上述した衝撃の緩和等の効果が高くなる。
【００６４】
［その他の実施形態］
その他にも、第一絶縁部２１ａの形状は、直線状に限定されない。例えば、図４（ａ）に示すように、第一絶縁部２１ｄは、折れ曲がった形状であっても良い。第一絶縁部２１ｄは、２箇所で各々９０度折れ曲がっている。
【００６５】
図４（ａ）に示す場合、第一フレーム１１ｄの端部４１ｄ、第一絶縁部２１ｄの一部分、及び、第二フレーム１２ｄの端部４２ｄが、層状に重なる部分がある。かかる層状に重なる部分を通してネジ穴を設けて、ネジ穴に固定部材２４ｄの絶縁性のネジを入れて固定すれば、第一フレーム１１ｄ、第一絶縁部２１ｄ、及び、第二フレーム１２ｄを一体とすることができる。
【００６６】
図４（ａ）に示す第一絶縁部２１ｄは、携帯無線機２ａの筐体３の厚さ方向に折れ曲がっていても良いし、筐体３の幅方向に折れ曲がっていても良い。
【００６７】
図４（ａ）に示す第一絶縁部２１ｄは、曲線状であっても良い。この場合、第一絶縁部２１ｄの形状に合わせて、第一フレーム１１ｄの端部４１ｄの形状、及び、第二フレーム１２ｄの端部４２ｄの形状も、曲線状となる。
【００６８】
図４（ｂ）に示すように、第一絶縁部２１ｅは、凸部５１が設けられた形状であっても良い。この場合、第一フレーム１１ｅの端部４１ｅ、及び、第二フレーム１２ｅの端部４２ｅには、凸部５１と嵌め合わされる凹部５２を各々設ける。凸部５１の根元は凸部５１の突出部分よりも狭くなっており、凸部５１が凹部５２に嵌め合わされると凸部５１が凹部５２にひっかかる。この場合、固定部材２４を備えなくとも、第一フレーム１１ｅ、第一絶縁部２１ｅ、及び、第二フレーム１２ｅを一体とすることができる。
【００６９】
携帯無線機２の筐体３の長手方向の一端８１以外の箇所にアンテナ４が内蔵されている場合には、携帯無線機用ケース（１ａ，１ｂ，１ｃ）と同様に、アンテナ４の近傍９の範囲に基づいて各々の部材の配置を定める。
【００７０】
図１〜４に示す第一フレーム（１１ａ，１１ｂ，１１ｄ，１１ｅ）、第二フレーム（１２ａ，１２ｂ，１２ｄ，１２ｅ）、及び、第一背面カバー１３の導電性の材質は、例えば、銅−マグネシウム等の金属めっきを施した合成樹脂や、炭素繊維強化プラスチック（ＣＦＲＰ）、炭素繊維強化炭素複合材料（Ｃ／Ｃコンポジット）等の炭素繊維複合材料や、木炭、竹炭を組み込んだ合成樹脂等であっても良い。
【００７１】
導電性の材質として金属めっきを施した合成樹脂を用いた場合、合成樹脂を用いることで携帯無線機用ケース（１ａ，１ｂ，１ｃ）を軽量なものとし、金属めっきによる光沢で外観を見栄えの良いものとすることができる。
【００７２】
導電性の材質として炭素繊維複合材料を用いた場合、携帯無線機用ケース（１ａ，１ｂ，１ｃ）を、軽量で頑丈であり、柔軟性があるものにすることができる。特に炭素繊維織物を組み込んだＣＦＲＰを用いた場合、携帯無線機用ケース（１ａ，１ｂ，１ｃ）が、カーボン柄（炭素繊維織物の柄）の外観となる。
【００７３】
導電性の材質として木炭、竹炭を組み込んだ合成樹脂を用いた場合、携帯無線機用ケース（１ａ，１ｂ，１ｃ）が、天然素材を活かした外観となる。さらに、木炭や竹炭により、消臭効果や抗菌作用が発揮され得る。
【００７４】
導電性の第一フレーム（１１ａ，１１ｂ）と第二フレーム（１２ａ，１２ｂ）の少なくとも１つに、透明の絶縁コーティングを施しても良い。第一フレーム（１１ａ，１１ｂ）と第二フレーム（１２ａ，１２ｂ）の対向部分において、絶縁コーティングを第一絶縁部２１ａの代わりにすることができる。図１等に示す第一絶縁部２１ａを使用しなくても、コーティングによって、第一フレーム（１１ａ，１１ｂ）と第二フレーム（１２ａ，１２ｂ）が絶縁される。
【００７５】
［試験方法］
実施例として、実施形態３に係る携帯無線機用ケースで周縁部を覆ったスマートフォンを準備した。実施例で、第一フレーム、第二フレーム及び第一背面カバーの材質はアルミニウム合金であり、第一絶縁部及び第二背面カバーの材質はアクリル系樹脂であり、クッションの材質はポリプロピレンであった。実施例で、固定部材は絶縁性のネジであった。スマートフォンで使用される電波の周波数ｆは、８５０ＭＨｚ帯及び９００ＭＨｚ帯に含まれていた。第一フレームの長さは、９．２ｃｍであった。
【００７６】
比較のために、次の比較例を準備した。
・比較例１：何も取り付けていないスマートフォン。
・比較例２：アルミニウム合金製のフレームで周縁部を覆ったスマートフォン。
・比較例３：比較例２から更にアルミニウム合金製の板材で背面を覆ったスマートフォン。
【００７７】
電波暗室の内外にログペリオディックアンテナを設置し、電波暗室外で受信した電波を電波暗室内で放射できるようにした。電波暗室外で受信した電波には、周波数ｆが８５０ＭＨｚ帯及び９００ＭＨｚ帯の電波も含まれていた。電波暗室内に置いたスマートフォンに電波を放射する際に、電波を減衰できるように減衰器を設けた。
【００７８】
試験では、電波を放射したときにスマートフォンに表示される、電波の受信状態を表す０〜５本のアンテナマークの本数の推移を調べた。図５に示すように、電波が放射される方向６１に対しスマートフォン７の周縁部５を向けた場合（図５（ａ））と、正面６を向けた場合（図５（ｂ））の２通りの置き方を試した。なお、周縁部を向けた場合は、電波の主偏波の受信性能を評価することができる。正面を向けた場合は、電波の垂直偏波の受信性能を評価することができる。
【００７９】
また、試験では、表示本数についてヒステリシス特性を有する場合があるため、電波の減衰量を増して表示本数を減らして行った場合と、電波の減衰量を減らして表示本数を増やして行った場合を試した。表示本数が０本か５本の場合は推移を往復的に検出することができないが、表示本数が１〜４本の場合は推移を往復的に検出することができるため、信頼性の高い１〜４本の場合について記録した。
【００８０】
［試験結果と考察］
電波が放射される方向に対しスマートフォンの周縁部を向け（図５（ａ））電波の減衰量を増して行った場合の試験結果を、表１に示す。
【表１】
2016066906.tif 000003
【００８１】
電波が放射される方向に対しスマートフォンの周縁部を向け（図５（ａ））電波の減衰量を減らして行った場合の試験結果を、表２に示す。
【表２】
2016066906.tif 000004
【００８２】
電波が放射される方向に対しスマートフォンの正面を向け（図５（ｂ））電波の減衰量を増して行った場合の試験結果を、表３に示す。
【表３】
2016066906.tif 000005
【００８３】
電波が放射される方向に対しスマートフォンの正面を向け（図５（ｂ））電波の減衰量を減らして行った場合の試験結果を、表４に示す。
【表４】
2016066906.tif 000006
【００８４】
表１〜４に示すように、アンテナの受信性能は、いずれの場合も、何も取り付けていない比較例１が最も高く、次いで実施例が高かった。いずれの場合も、実施例の値が、比較例１の値に対して５ｄＢ以内の範囲に入った。このため、実施例のアンテナの受信性能は、比較例のアンテナの受信性能と大きくは変わらなかった。
【００８５】
一方、比較例１や実施例と比べて、比較例２，３のアンテナの受信性能は低かった。いずれの場合も、比較例２，３の値は、比較例１の値に対して１０ｄＢ以上下回った。比較例２が実施例よりもアンテナの受信性能が低くなったのは、金属製フレームで二次電流が強く発生したことによると考えられる。比較例３が比較例２よりもアンテナの受信性能が更に低くなったのは、金属板により電波が遮断されたことによると考えられる。
【産業上の利用可能性】
【００８６】
本発明は、筐体内にアンテナを備えたスマートフォン、ストレート式の携帯電話機、タブレット端末等の携帯無線機の一部を覆う携帯無線機用ケースとして用いられる。
【符号の説明】
【００８７】
１：携帯無線機用ケース
２：携帯無線機
４：アンテナ
５：携帯無線機の周縁部
９：アンテナの近傍
１１：第一フレーム
１２：第二フレーム
２１：第一絶縁部
２５：第一フレームと第二フレームとの間
【図１】
2016066906.tif 000007
【図２】
2016066906.tif 000008
【図３】
2016066906.tif 000009
【図４】
2016066906.tif 000010
【図５】
2016066906.tif 000011